(57)【要約】【課題】本発明は、スライド抵抗が小さく、滑らかにスライドすることができるガイドレール部材及び該ガイドレール部材を有するローラーシャッター付きボックスを提供することを目的とする。【解決手段】本発明のガイドレール部材は、第一支持部及びスライドカバーを備え、第一支持部は、第一支持壁及び第二支持壁を備え、第一支持壁と第二支持壁とは協働してスライド通路を形成し、スライドカバーはスライド本体及び複数の延在部を備え、複数の延在部はスライド可能にスライド通路内に収容され、延在部には第一接触部及び第二接触部が突出し、第一接触部及び第二接触部はそれぞれ円弧状の接触面を備え、第一接触部及び第二接触部の円弧状の接触面の頂点はそれぞれスライド通路を形成する第一支持壁及び第二支持壁と接触し、スライドカバーは、第一接触部及び第二接触部を介して、多方向から第一支持部に支持される。【選択図】図２
2015129433.tif 000002
【特許請求の範囲】
【請求項１】
スライド通路を有する第一支持部及びスライド可能に前記第一支持部に設置されたスライドカバーを備え、前記第一支持部は、第一支持壁及び第二支持壁を備え、前記第一支持壁、前記第二支持壁は協働してスライド通路を形成し、前記スライドカバーは、スライド本体及び前記スライド本体の一端に突出した複数の延在部を備え、前記複数の延在部が、スライド可能に前記スライド通路内に収容されるガイドレール部材において、
前記延在部の両側には、それぞれ第一接触部及び第二接触部が突出し、前記第一接触部及び前記第二接触部は、それぞれ円弧状の接触面を備え、前記第一接触部及び前記第二接触部の円弧状の接触面の頂点は、それぞれ前記スライド通路を形成する前記第一支持壁及び前記第二支持壁と接触し、前記スライドカバーは、前記第一接触部及び前記第二接触部を介して、多方向から前記第一支持部上に支持されることを特徴とするガイドレール部材。
【請求項２】
前記第一支持部は、支持本体を備え、前記第一支持壁及び前記第二支持壁は、対向して前記支持本体に設置され、前記支持本体、前記第一支持壁及び前記第二支持壁は協働して、前記スライド通路を形成し、前記延在部における前記スライド本体と離れている一端には第三接触部が突出し、前記第三接触部は、円弧状の接触面を備え、前記第三接触部の円弧状の接触面の頂点は、前記支持本体と接触することを特徴とする請求項１に記載のガイドレール部材。
【請求項３】
前記延在部は、一定の間隔をあけて隣接設置された第一延在アーム及び第二延在アームを備え、前記第一接触部は、前記第一延在アームにおいて前記第一支持壁の表面に向けて突出し、前記第二接触部は、前記第二延在アームにおいて前記第二支持壁の表面に向けて突出し、前記第三接触部は、前記第二延在アームにおいて前記支持本体に向けて突出していることを特徴とする請求項２に記載のガイドレール部材。
【請求項４】
前記第一延在アームにおける前記スライド本体と離れている端部は、前記支持本体と一定の間隔をあけて設置され、前記第一延在アームにおける前記第一接触部と離れている表面は、前記第二支持壁と一定の間隔をあけて設置されることを特徴とする請求項３に記載のガイドレール部材。
【請求項５】
前記第二延在アームにおける前記第二接触部と離れている表面には軸部が設けられ、前記軸部は、前記表面上で前記第二延在アームに沿って、前記支持本体に向かって延在し、且つ前記第一支持壁と一定の間隔をあけて設置されることを特徴とする請求項３又は４に記載のガイドレール部材。
【請求項６】
前記スライド本体の表面には、一定の間隔をあけて複数の凹溝が設けられ、前記スライド本体は、前記複数の凹溝によって順に接続された複数の接続部に分割され、各接続部は、前記スライド通路に垂直な方向に沿って延在し、各延在部は、対応する前記接続部の一端に設置されることを特徴とする請求項１から５のいずれか一項に記載のガイドレール部材。
【請求項７】
前記ガイドレール部材は、前記第一支持部と対向する第二支持部を備え、前記第二支持部には、前記第一支持部のスライド通路と対向するスライド通路が設けられ、前記複数の延在部は、スライド可能に前記第一支持部及び前記第二支持部のスライド通路内に収容されることを特徴とする請求項１から６のいずれか一項に記載のガイドレール部材。
【請求項８】
開口を有する収容箱及び前記収容箱に設置されるガイドレール部材を備え、前記ガイドレール部材は、対向し、且つスライド通路を形成する第一支持部及び第二支持部と、スライド可能に前記第一支持部と前記第二支持部とに設置されるスライドカバーと、を備え、前記スライドカバーは、スライド本体及び前記スライド本体の両端に設置された複数の延在部を備え、前記複数の延在部は、スライド可能に前記スライド通路内に収容され、前記収容箱は、前記第一支持部と前記第二支持部との間に設置され、前記スライド本体がスライド可能に前記開口を被覆するローラーシャッター付きボックスにおいて、
前記延在部の両側には、第一接触部及び第二接触部が突出し、前記延在部における前記スライド本体と離れている端部には、第三接触部が突出し、前記第一接触部、前記第二接触部及び前記第三接触部は、それぞれ円弧状の接触面を備え、前記第一接触部、前記第二接触部及び前記第三接触部の円弧状の接触面の頂点は、それぞれ前記スライド通路を形成する前記第一支持部及び前記第二支持部と接触し、前記スライドカバーは、前記第一接触部、前記第二接触部及び前記第三接触部を介して、多方向から前記第一支持部及び前記第二支持部に支持されることを特徴とするローラーシャッター付きボックス。
【請求項９】
軌条を有する支持部及びスライド可能に前記支持部に設置されるスライドカバーを備え、前記スライドカバーは、スライド本体及び前記スライド本体の一端に突出した複数の延在部を備え、前記複数の延在部には、スライド溝が設けられ、前記スライド溝は、２つの側壁と前記２つの側壁に接続された底壁とが協働して形成され、前記複数の延在部が、スライド可能に前記軌条に設置されるガイドレール部材において、
前記延在部における前記スライド溝と対向する両側には、それぞれ第一接触部及び第二接触部が突出し、前記延在部のスライド溝の底壁には、第三接触部が突出し、前記第一接触部、前記第二接触部及び前記第三接触部は、それぞれ円弧状の接触面を備え、前記第一接触部及び前記第二接触部の円弧状の接触面の頂点は、それぞれ前記軌条の両側と接触し、前記第三接触部の円弧状の接触面の頂点は、前記軌条における前記スライド溝に向かう端面と接触し、前記スライドカバーは前記第一接触部、前記第二接触部及び前記第三接触部を介して、多方向から前記支持部に支持されることを特徴とするガイドレール部材。
【発明の詳細な説明】
【技術分野】
【０００１】
本発明は、ガイドレール部材及び該ガイドレール部材を有するローラーシャッター付きボックスに関するものである。
【背景技術】
【０００２】
ローラーシャッター付きボックスは、開口を有する箱体及びスライド可能に該開口を被覆しているスライドカバーを備える。箱体の開口の両側には、２つの案内溝が互いに対向して設けられており、スライドカバーの両側は、この２つの案内溝内にスライド可能に収容される。このようなローラーシャッター付きボックスは、スライドカバーを介して、選択的に箱体を開けたり、閉めたりすることができる。しかし、スライドカバーがスライドする際、スライドカバーの両端の表面が、案内溝の内壁と常に接触しており、スライドカバーと案内溝との間に大きな抵抗が生じるため、スライドカバーが滑らかにスライドできない場合がある。
【発明の概要】
【発明が解決しようとする課題】
【０００３】
以上の問題点に鑑みて、本発明は、スライド抵抗が小さく、滑らかにスライドすることができるガイドレール部材及び該ガイドレール部材を有するローラーシャッター付きボックスを提供することを目的とする。
【課題を解決するための手段】
【０００４】
上記の課題を解決するために、本発明のガイドレール部材は、スライド通路を有する第一支持部及びスライド可能に第一支持部に設置されるスライドカバーを備え、第一支持部は、第一支持壁及び第二支持壁を備え、第一支持壁と第二支持壁とは協働してスライド通路を形成し、スライドカバーは、スライド本体及びスライド本体の一端に突出した複数の延在部を備え、複数の延在部は、スライド可能にスライド通路内に収容され、延在部の両側には、それぞれ第一接触部及び第二接触部が突出し、第一接触部及び第二接触部は、それぞれ円弧状の接触面を備え、第一接触部及び第二接触部の円弧状の接触面の頂点は、それぞれスライド通路を形成する第一支持壁及び第二支持壁と接触し、スライドカバーは、第一接触部及び第二接触部を介して、多方向から第一支持部に支持される。
【０００５】
上記の課題を解決するために、本発明のローラーシャッター付きボックスは、開口を有する収容箱及び該収容箱に設置されるガイドレール部材を備え、ガイドレール部材は、対向し、且つスライド通路を形成する第一支持部及び第二支持部と、スライド可能に第一支持部と第二支持部とに設置されるスライドカバーと、を備え、スライドカバーは、スライド本体及びスライド本体の両端に設置された複数の延在部を備え、複数の延在部は、スライド可能にスライド通路内に収容され、収容箱は、第一支持部と第二支持部との間に設置され、スライド本体は、スライド可能に開口を被覆し、延在部の両側には、第一接触部及び第二接触部が突出し、延在部におけるスライド本体と離れている端部には、第三接触部が突出し、第一接触部、第二接触部及び第三接触部は、それぞれ円弧状の接触面を備え、第一接触部、第二接触部及び第三接触部の円弧状の接触面の頂点は、それぞれスライド通路を形成する第一支持部及び第二支持部と接触して、スライドカバーは、第一接触部、第二接触部及び第三接触部を介して、多方向から第一側板及び第二側板に支持される。
【０００６】
上記の課題を解決するために、本発明のガイドレール部材は、軌条を有する支持部及びスライド可能に支持部に設置されるスライドカバーを備え、スライドカバーは、スライド本体及びスライド本体の一端に突出した複数の延在部を備え、複数の延在部には、スライド溝が設けられ、スライド溝は、２つの側壁と２つの側壁に接続された底壁とが協働して形成され、複数の延在部は、スライド可能に軌条に設置され、延在部におけるスライド溝と対向する両側には、それぞれ第一接触部及び第二接触部が突出し、延在部のスライド溝の底壁には、第三接触部が突出し、第一接触部、第二接触部及び第三接触部は、それぞれ円弧状の接触面を備え、第一接触部及び第二接触部の円弧状の接触面の頂点は、それぞれ軌条の両側と接触し、第三接触部の円弧状の接触面の頂点は、軌条におけるスライド溝に向かう端面と接触して、スライドカバーは、第一接触部、第二接触部及び第三接触部を介して、多方向から支持部に支持される。
【発明の効果】
【０００７】
本発明のガイドレール部材は、スライドの過程において、スライドカバーの各延在部が、円弧状の接触面を有する接触部を介して、スライド通路の対応する内壁と点接触するため、スライドカバーとスライド通路の内壁との間の抵抗が小さくなる。これにより、ガイドレール部材は滑らかにスライドすることができる。
【図面の簡単な説明】
【０００８】
【図１】本発明に係るローラーシャッター付きボックスの斜視図である。
【図２】図１に示したローラーシャッター付きボックスの分解斜視図である。
【図３】図２に示したローラーシャッター付きボックスのＩＩＩ部分の拡大図である。
【図４】図１に示したローラーシャッター付きボックスのスライドカバーの斜視図である。
【図５】図１に示したローラーシャッター付きボックスのＶ−Ｖ線に沿った断面図である。
【図６】図５に示したローラーシャッター付きボックスのＶＩ部分の拡大図である。
【図７】図１に示したローラーシャッター付きボックスのＶＩＩ−ＶＩＩ線に沿った断面図である。
【図８】図７に示したローラーシャッター付きボックスのＶＩＩＩ部分の拡大図である。
【発明を実施するための形態】
【０００９】
以下、図面に基づいて、本発明に係るガイドレール部材及び該ガイドレール部材を有するローラーシャッター付きボックスについて詳細に説明する。図１及び図２に示したように、ローラーシャッター付きボックス１００は、収容箱１０及び該収容箱１０に設置されているガイドレール部材３０を備え、ガイドレール部材３０は、スライド可能に収容箱１０に設置されて、収容箱１０を開けたり、閉めたりする。
【００１０】
収容箱１０内には、収容部１１と、該収容部１１と連通している開口１３と、が設けられている。開口１３は外部と連通して、物を取り出したり、入れたりすることに用いられる。
【００１１】
図２に示したように、ガイドレール部材３０は、互いに対向して位置する第一支持部３１及び第二支持部３３と、第一支持部３１と第二支持部３３との間に設置されるスライドカバー３５と、を備える。本実施形態において、第一支持部３１及び第二支持部３３は、それぞれ略紡錘形の板状を呈する。第一支持部３１は第一側板であり、第二支持部３３は第二側板である。
【００１２】
第一支持部３１は、支持本体３１１と、該支持本体３１１の周縁を囲み、且つ互いに対向して位置する第一支持壁３１３及び第二支持壁３１５と、を備える。本実施形態において、支持本体３１１も略紡錘形の板状を呈し、第一支持壁３１３は、支持本体３１１の外周縁を囲んでいる。第二支持壁３１５も略紡錘形の板状を呈し、支持本体３１１の周縁を囲んでいる。第二支持壁３１５における第一支持壁３１３と離れている一側には、固定空間３１６が形成されている。また、第一支持壁３１３、第二支持壁３１５及び支持本体３１１は、協働して、スライド通路３１８を形成している。このスライド通路３１８はリング状を呈し、支持本体３１１と離れている一側には開口が設けられ、反対側（つまり、該開口と対向する側）は、支持本体３１１によって密封されている。他の実施形態において、支持本体３１１を省略し、第一支持壁３１３及び第二支持壁３１５を対向するように設置して、第一支持壁３１３と第二支持壁３１５との間にスライド通路３１８を形成してもよい。
【００１３】
図５に示したように、第二支持部３３は、第一支持部３１と対向して設置され、且つ第一支持部３１と同じ構造である。第二支持部３３は、支持本体３３１、第一支持壁３３３及び第二支持壁３３５を備える。支持本体３３１、第一支持壁３３３及び第二支持壁３３５は、協働して、スライド通路３１８と対向して位置するスライド通路３３８を形成し、また、第二支持壁３３５における第一支持壁３３３と離れている一側には、第一支持部３１と対向して位置する固定空間３３６が形成されている。収容箱１０の両壁は、それぞれこの固定空間３１６、３３６内に収容される。
【００１４】
図２〜図４に示したように、スライドカバー３５は、収容箱１０の開口１３を被覆し、スライドカバー３５の両側は、第一支持部３１及び第二支持部３３のスライド通路３１８、３３８内にスライド可能にそれぞれ収容される。スライドカバー３５は、スライド本体３５１及びスライド本体３５１の両側に形成された複数の延在部３５３を備える。
【００１５】
スライド本体３５１は、矩形の板状を呈し、且つスライド本体３５１には、収容箱１０の表面に向けて、一定の間隔をあけて、複数の凹溝３５１１が設けられている。また、スライド本体３５１は、順に接続された複数の接続部３５１３を備える。図４からわかるように、複数の凹溝３５１１は、隣り合う接続部３５１３の間に設けられている。接続部３５１３は、細長いストリップ状を呈し、第一支持部３１から第二支持部３３に向けて延在している。スライド本体３５１に複数の凹溝３５１１が設けられているため、スライド本体３５１全体は、スライド通路３１８の弧度にしたがって湾曲することが可能である。また、スライド本体３５１における端部に隣接する１つの接続部３５１３には、ハンドル３５１５が設けられており、このハンドル３５１５を把持することで、容易にスライドカバー３５を動かすことができる。
【００１６】
複数の延在部３５３は、一定の間隔をあけて、スライド本体３５１の両側にそれぞれ設置され、且つスライド通路３１８、３３８にスライド可能に収容されて、スライド本体３５１がスライドする過程において、スライド通路３１８内に位置する。本実施形態において、延在部３５３は、弾性材料によって製造される。各延在部３５３は、対応する接続部３５１３の一端に一定の間隔をあけて隣接設置された第一延在アーム３５３１及び第二延在アーム３５３５を備える。
【００１７】
図３、図５及び図６に示したように、第一延在アーム３５３１は、矩形の板状を呈し、且つ第一延在アーム３５３１から第一支持壁３１３の表面に向かって第一延在アーム３５３１に対して垂直に突出している第一接触部３５３２を有する。該第一接触部３５３２は、第一延在アーム３５３１における接続部３５１３と離れている一端に位置する。第一接触部３５３２は、円弧状の接触面を備える。本実施形態において、第一接触部３５３２は、半球状の構造である。第一接触部３５３２の円弧状の接触面の頂部は、第一支持壁３１３と弾性的に接触する。第一延在アーム３５３１の端部は、支持本体３１１と一定の間隔をあけて設置され、且つ第一延在アーム３５３１における第一接触部３５３２と反対の側面は、第二支持壁３１５と一定の間隔をあけて設置される。第一延在アーム３５３１は、スライド通路３１８、３３８内に収容され、且つ第一接触部３５３２の円弧状の接触面の頂部は、スライド通路３１８を形成する第一支持壁３１３と弾性的に接触する。
【００１８】
図３、図７及び図８に示したように、第二延在アーム３５３５は、第一延在アーム３５３１と一定の間隔をあけて設置され、基板３５３６、軸部３５３７、第二接触部３５３８及び第三接触部３５３９を備える。基板３５３６は、矩形の板状を呈し、基板３５３６から第一支持壁３１３の表面に向けて軸部３５３７が突出している。軸部３５３７は、基板３５３６上で接続部３５１３から接続部３５１３に沿って、支持本体３１１に向かって延在している。また、軸部３５３７の表面は、第一支持壁３１３と一定の間隔をあけて設置される。第二接触部３５３８は、基板３５３６において第二支持壁３１５の表面に向けて形成され、円弧状の接触面を備える。本実施形態において、第二接触部３５３８は、半球状の構造である。第二接触部３５３８の円弧状の接触面の頂部は、第二支持壁３１５と弾性的に接触する。第三接触部３５３９は、第二接触部３５３８と同じ構造であり、且つ軸部３５３７の端部の表面に形成され、支持本体３１１に向けて突出している。第三接触部３５３９の円弧状の接触面の頂部は、スライド通路３１８の支持本体３１１と点接触する。第二延在アーム３５３５は、スライド通路３１８内で、第一支持壁３１３と一定の間隙をあけて設置される。
【００１９】
ローラーシャッター付きボックス１００を組み立てる際、収容箱１０を第一支持部３１と第二支持部３３との間に設置し、スライドカバー３５の両端の延在部３５３をそれぞれ対応するスライド通路３１８、３３８の開口から挿入して、第一支持部３１及び第二支持部３３の対応するスライド通路３１８、３３８内にスライド可能に収容する。
【００２０】
収容部１１に物を入れる場合、或いは収容部１１から物を取り出す場合、ハンドル３５１５を把持して、スライドカバー３５をスライド通路３１８、３３８内でスライドさせることで、開口１３を開けたり、閉めたりする。この際、対応するスライド通路３１８、３３８の案内によって、各延在部３５３は、第一接触部３５３２、第二接触部３５３８及び第三接触部３５３９を介してスライド通路３１８、３３８に沿ってスライドする。
【００２１】
本発明のローラーシャッター付きボックス１００は、スライドカバー３５の各延在部３５３が、第一接触部３５３２、第二接触部３５３８及び第三接触部３５３９を介して、スライド通路３１８、３３８を形成する第一支持壁３１３、３３３、第二支持壁３１５、３３５及び支持本体３１１、３３１と点接触するので、多方向から支持される。これにより、延在部３５３は、安定してスライド通路３１８、３３８内でスライドできると同時に、スライド通路３１８、３３８の内壁との接触面積を減らして、延在部３５３とスライド通路３１８、３３８を形成する第一支持壁３１３、３３３、第二支持壁３１５，３３５及び支持本体３１１、３３１との間の抵抗を減少させることができる。各延在部３５３は、互いに隣接する第一延在アーム３５３１及び第二延在アーム３５３５を備え、第一延在アーム３５３１及び第二延在アーム３５３５は、スライド通路３１８、３３８内に挿入され、スライドカバー３５がスライドしている過程において、常にスライド通路３１８、３３８の内壁と緊密に接触する。また、スライド本体３５１に複数の凹溝３５１１が設けられているため、スライド本体３５１全体は、スライド通路３１８の弧度にしたがって湾曲することが可能である。さらに、本発明のローラーシャッター付きボックス１００は、構造が簡単であり、スライド本体３５１が延在部３５３と一体成形されているため、生産コストを節約できる。また、第一支持部３１及び第二支持部３３をスライドカバー３５と組み合わせてガイドレールを形成する構造は、その他の様々なスライド部材に適用可能である。
【００２２】
他の実施形態において、第二支持部３３は省略してもよい。この際、スライド本体３５１の一端のみに複数の延在部３５３が突出され、複数の延在部３５３はスライド可能に第一支持部３１内のスライド通路３１８内に収容される。
【００２３】
他の実施形態において、スライド通路３１８、３３８は軌条であってもよい。この際、延在部３５３内にはスライド溝が設けられる。即ち、第一延在アーム３５３１及び第二延在アーム３５３５にそれぞれスライド溝が設けられ、軌条は、このスライド溝内に収容される。第一接触部３５３２は、第一延在アーム３５３１のスライド溝の内壁において軌条の表面に向けて突出し、第二接触部３５３８は、第二延在アーム３５３５のスライド溝の内壁において軌条の表面に向けて突出し、且つ第一接触部３５３２と対向して位置する。第三接触部３５３９は、第二延在アーム３５３５のスライド溝の底部に突出する。第一接触部３５３２、第二接触部３５３８の円弧状の接触面の頂点は、それぞれ軌条の両側（即ち、軌条の上下）と接触し、第三接触部３５３９の円弧状の接触面の頂点は、該軌条におけるスライド溝に向かう端面と接触する。
【００２４】
他の実施形態において、第二延在アーム３５３５は省略してもよい。この際、第二延在アーム３５３５の第二接触部３５３８及び第三接触部３５３９は、第一延在アーム３５３１における第二支持壁３１５及び支持本体３１１に向かう表面にそれぞれ形成され、第一延在アーム３５３１の第一接触部３５３２、第二接触部３５３８及び第三接触部３５３９の円弧状の接触面の頂点は、それぞれスライド通路３１８、３３８を形成する第一支持壁３１３、第二支持壁３１５、支持本体３１１に弾性的に接触する。
【００２５】
他の実施形態において、第一接触部３５３２、第二接触部３５３８及び第三接触部３５３９の構造は、弧面の頂点が、スライド通路３１８の対応する側壁と弾性的に接触しさえすれば、円弧状に限定されず、他の弧面の構造であってもよい。
【００２６】
他の実施形態において、凹溝３５１１を省略して、スライド本体３５１を弾性材料によって製造してもよい。
【符号の説明】
【００２７】
１００  ローラーシャッター付きボックス
１０  収容箱
１１  収容部
１３  開口
３０  ガイドレール部材
３１  第一支持部
３３  第二支持部
３１１  支持本体
３１３、３３３  第一支持壁
３１５、３３５  第二支持壁
３１６  固定空間
３１８、３３８  スライド通路
３３１  支持本体
３３６  固定空間
３５  スライドカバー
３５１  スライド本体
３５１１  凹溝
３５１３  接続部
３５１５  ハンドル
３５３  延在部
３５３１  第一延在アーム
３５３２  第一接触部
３５３５  第二延在アーム
３５３６  基板
３５３７  軸部
３５３８  第二接触部
３５３９  第三接触部
【図１】
2015129433.tif 000003
【図２】
2015129433.tif 000004
【図３】
2015129433.tif 000005
【図４】
2015129433.tif 000006
【図５】
2015129433.tif 000007
【図６】
2015129433.tif 000008
【図７】
2015129433.tif 000009
【図８】
2015129433.tif 000010